(57)【特許請求の範囲】
【請求項１】
箱体（１４）の内部に制御部（２１）を内蔵し、箱体（１４）の正面に運転スイッチと、運転状況を表示する表示装置（２０）と、乾燥対象の穀物種類を選択する穀物種類選択スイッチ（１９）を設け、箱体（１４）の外周部に配線接続用のコネクタ（Ｋ）を設け、穀物循環機構（J）駆動用の循環機構モータ（２３）を駆動制御する穀物乾燥機の制御装置において、
前記穀物循環機構（J）の循環中の穀粒のこぼれを採取して水分値を測定する水分計を設け、
前記制御部（２１）にはコネクタ（Ｋ）にインバータ（２４）を介して循環機構モータ（２３）を接続したことを制御部（２１）が検出すると、穀物種類選択スイッチ（１９）による籾・麦・豆の乾燥運転をいずれも選択可能とし、
前記穀物種類選択スイッチ（１９）により豆の乾燥運転を選択した場合には、水分値測定時間中には前記穀物循環機構（J）の回転数を非水分値測定時の通常乾燥運転の回転数より高くする機能を備え、
コネクタ（Ｋ）にインバータ（２４）を介さないで循環機構モータ（２３）を接続したことを制御部（２１）が検出すると、穀物種類選択スイッチ（１９）による豆の乾燥運転の選択を規制する機能を備えていることを特徴とする穀物乾燥機の制御装置。
【請求項２】
箱体（１４）の内部に制御部（２１）を内蔵し、箱体（１４）の正面に運転スイッチと、運転状況を表示する表示装置（２０）と、乾燥対象の穀物種類を選択する穀物種類選択スイッチ（１９）を設け、箱体（１４）の外周部に配線接続用のコネクタ（Ｋ）を設け、穀物を循環させる穀物循環機構（J）駆動用の循環機構モータ（２３）を駆動制御する穀物乾燥機の制御装置において、
前記穀物循環機構（J）の循環中の穀粒のこぼれを採取して水分値を測定する水分計を設け、
前記制御部（２１）にはコネクタ（Ｋ）にインバータ（２４）を介して循環機構モータ（２３）を接続したことを制御部（２１）が検出すると、穀物種類選択スイッチ（１９）による籾・麦・豆の乾燥運転をいずれも選択可能とし、
前記穀物種類選択スイッチ（１９）により豆の乾燥運転を選択した場合には、
前記水分計が水分値測定を開始してから予め設定している穀粒取込時間が終了しても水分値の測定が終了しない場合には、前記穀物循環機構（J）の回転数を高くして水分値の測定を継続し、水分計が水分値の測定を終了すると前記穀物循環機構（J）の回転数を低くし非水分値測定時の通常乾燥運転の回転数に復帰する機能を備え、
コネクタ（Ｋ）にインバータ（２４）を介さないで循環機構モータ（２３）を接続したことを制御部（２１）が検出すると、穀物種類選択スイッチ（１９）による豆の乾燥運転の選択を規制する機能を備えることを特徴とする穀物乾燥機の制御装置。
【発明の詳細な説明】
【技術分野】
【０００１】
本発明は、穀物乾燥機の制御装置に関する。
【背景技術】
【０００２】
循環式の穀物乾燥機は主として、籾（米）及び麦用として用いられているが、特許文献１には籾及び麦以外に蕎麦や大豆も乾燥可能ないわゆる汎用乾燥機が記載されている。
【先行技術文献】
【特許文献】
【０００３】
【特許文献１】特許第３６９４２３４号公報
【発明の概要】
【発明が解決しようとする課題】
【０００４】
籾や麦と大豆では粒の径や性質が異なるため、循環速度や使用する水分計が異なる。
【０００５】
特許出願人は、今般前記先願特許出願に関連する発明，即ち、多様な穀物を乾燥する穀物乾燥機において豆類の乾燥作業を円滑に実行する発明を完成したので、ここに特許出願するものである。
【課題を解決するための手段】
【０００６】
本発明は、課題を解決するために次のような技術的手段を講ずる。
【０００７】
請求項１記載の発明は、
箱体（１４）の内部に制御部（２１）を内蔵し、箱体（１４）の正面に運転スイッチと、運転状況を表示する表示装置（２０）と、乾燥対象の穀物種類を選択する穀物種類選択スイッチ（１９）を設け、箱体（１４）の外周部に配線接続用のコネクタ（Ｋ）を設け、穀物循環機構（J）駆動用の循環機構モータ（２３）を駆動制御する穀物乾燥機の制御装置において、
前記穀物循環機構（J）の循環中の穀粒のこぼれを採取して水分値を測定する水分計を設け、
前記制御部（２１）にはコネクタ（Ｋ）にインバータ（２４）を介して循環機構モータ（２３）を接続したことを制御部（２１）が検出すると、穀物種類選択スイッチ（１９）による籾・麦・豆の乾燥運転をいずれも選択可能とし、
前記穀物種類選択スイッチ（１９）により豆の乾燥運転を選択した場合には、水分値測定時間中には前記穀物循環機構（J）の回転数を非水分値測定時の通常乾燥運転の回転数より高くする機能を備え、
コネクタ（Ｋ）にインバータ（２４）を介さないで循環機構モータ（２３）を接続したことを制御部（２１）が検出すると、穀物種類選択スイッチ（１９）による豆の乾燥運転の選択を規制する機能を備えていることを特徴とする穀物乾燥機の制御装置とする。
【０００８】
請求項２記載の発明は、
箱体（１４）の内部に制御部（２１）を内蔵し、箱体（１４）の正面に運転スイッチと、運転状況を表示する表示装置（２０）と、乾燥対象の穀物種類を選択する穀物種類選択スイッチ（１９）を設け、箱体（１４）の外周部に配線接続用のコネクタ（Ｋ）を設け、穀物を循環させる穀物循環機構（J）駆動用の循環機構モータ（２３）を駆動制御する穀物乾燥機の制御装置において、
前記穀物循環機構（J）の循環中の穀粒のこぼれを採取して水分値を測定する水分計を設け、
前記制御部（２１）にはコネクタ（Ｋ）にインバータ（２４）を介して循環機構モータ（２３）を接続したことを制御部（２１）が検出すると、穀物種類選択スイッチ（１９）による籾・麦・豆の乾燥運転をいずれも選択可能とし、
前記穀物種類選択スイッチ（１９）により豆の乾燥運転を選択した場合には、
前記水分計が水分値測定を開始してから予め設定している穀粒取込時間が終了しても水分値の測定が終了しない場合には、前記穀物循環機構（J）の回転数を高くして水分値の測定を継続し、水分計が水分値の測定を終了すると前記穀物循環機構（J）の回転数を低くし非水分値測定時の通常乾燥運転の回転数に復帰する機能を備え、
コネクタ（Ｋ）にインバータ（２４）を介さないで循環機構モータ（２３）を接続したことを制御部（２１）が検出すると、穀物種類選択スイッチ（１９）による豆の乾燥運転の選択を規制する機能を備えることを特徴とする穀物乾燥機の制御装置とする。
【発明の効果】
【０００９】
請求項１記載の発明によると、特許請求の範囲の項の特徴構成に基づき、インバータ（２４）で循環機構モータ（２３）を低速に落とさない状態で大豆を乾燥することによる大豆の傷付きを防止することができる。また、豆の乾燥運転を必要としないユーザーについては、インバータ２４の無い状態での汎用穀物乾燥機の出荷が可能となり、制御部（２１）を共用にして安価に構成できる。また、豆の乾燥運転時には水分計での豆の測定粒数の取込数を適正にして水分値測定を所定時間内に終了し乾燥運転制御を適正化することができ、また、非水分値測定時の乾燥作業時には穀物循環機構（J）の回転数を下げることにより騒音を低くし豆の損傷を少なくしながら乾燥作業を能率的にすることができる。
【００１０】
請求項２記載の発明によると、特許請求の範囲の項の特徴構成に基づき、インバータ（２４）で循環機構モータ（２３）を低速に落とせない状態で大豆を乾燥することによる大豆の傷付きを防止することができる。また、大豆の乾燥運転を必要としないユーザーについては、インバータ（２４）の無い状態での出荷が可能となり、制御部（２１）を共用にして安価に構成できる。また、豆の乾燥作業運転時における水分計への豆の取込量が少ないときには自動的に取込量を多くし、豆の水分値の測定を所定時間内に完了させ乾燥運転制御を適正にすることができる。
【図面の簡単な説明】
【００１１】
【図１】側面から見た穀物乾燥機の内部を説明する図
【図２】穀物乾燥機の外観斜視図
【図３】正面から見た穀物乾燥機の内部を説明する図
【図４】籾麦用水分計の内部構造を示す図
【図５】操作盤を示す図
【図６】籾及び麦用の穀物乾燥機の制御装置を示す図
【図７】汎用の穀物乾燥機の制御装置を示す図
【図８】穀物乾燥機の伝動機構図
【図９】制御装置と燃焼バーナを示す斜視図
【図１０】穀粒種類毎の搬送能力・循環量・風量を示す表
【発明を実施するための形態】
【００１２】
本発明の実施の形態の穀物乾燥機について、以下説明する。
【００１３】
穀物乾燥機は穀物を収容する貯留室１と、乾燥する乾燥室２と、燃焼バーナ３と、熱風を吸引して排出する排風ファン４と、穀物を循環する循環機構Ｊを設けている。
【００１４】
穀物循環機構Ｊは乾燥室２から繰り出された穀物を搬送する下部ラセン５と、穀物を揚穀する昇降機６と、穀物を貯留室１へ搬送する上部ラセン７と、穀物を貯留室１内へ分散する分散羽根８を備える。穀物循環機構Ｊは循環機構モータ２３で駆動する構成とし、循環機構モータ２３は昇降機６の上部に動力を伝動し、昇降機６から上部ラセン７・分散羽根８及び下部ラセン５に伝動する構成としている。
【００１５】
乾燥室２の下端部には、乾燥室２の穀物を下部ラセン５に繰り出す繰り出しバルブ９を設け、繰り出しバルブモータ１０により回転する構成である。
【００１６】
排風ファン４は排風ファンモータ１１により回転する構成である。
【００１７】
昇降機６には籾麦用水分計１２と豆用水分計１３を設けている。
【００１８】
籾麦用水分計１２は昇降機６から採取したサンプル穀物（籾・麦・蕎麦）を一対の電極ロール２５で圧砕し、その電圧値から水分値を換算する公知の構成であり、豆用水分計１３も構造的には籾麦用水分計１２と略同様の構成で、サンプル穀物（大豆）を一対の電極ローラで圧砕し、その電圧値から水分値を換算する公知の構成である。なお、水分計を籾、麦、蕎麦、大豆の何れの水分値も測定できる共用型としてもよい。
【００１９】
次に、制御装置Ｓの構成について説明する。
【００２０】
本実施の形態の穀物乾燥機の制御装置Ｓは、箱体１４の正面側に、張込スイッチ１５・通風スイッチ１６・乾燥スイッチ１７・停止スイッチ１８等の運転スイッチと、籾・麦・蕎麦・大豆の乾燥運転を選択する穀物種類選択スイッチ１９と、水分値等の運転情報を表示する表示装置２０と、水分設定スイッチ２８と張込量設定スイッチ２９と目標数値を設定する数値増減スイッチ３０等からなる操作盤２６を設ける。また、箱体１４の内部には制御部２１及び循環機構モータ２３用の電磁接触器２７を内蔵し、箱体１４の外周には各種ハーネスを接続するためのコネクタＫを多数設けている。
【００２１】
本実施の形態の穀物種類選択スイッチ１９はスイッチを押す毎にＬＥＤランプ２２の点灯表示が順次移動し、籾・麦・蕎麦・大豆の選択が順次変更される構成である。
【００２２】
制御装置ＳのコネクタＫには、籾麦用水分計１２、豆用水分計１３、繰り出しバルブモータ１０、排風ファンモータ１１等とそれぞれ接続する。循環機構モータ２３はインバータ２４に接続し、インバータ２４を制御装置ＳのコネクタＫに接続する。
【００２３】
次に、乾燥運転の概要について説明する。
【００２４】
オペレータが張込スイッチ１５を押すと循環機構モータ２３が駆動を開始し、穀物循環機構Ｊが駆動され、張込穀物が昇降機６、上部ラセン７を経て、分散羽根８で貯留室１に穀物を張り込む張込運転がなされる。停止スイッチ１８を押すと張込運転が停止する。
【００２５】
オペレータは穀物種類選択スイッチ１９で張り込んだ穀物種類を選択する。次いで、水分設定スイッチ２８及び数値増減スイッチ３０で目標水分値を設定し、乾燥スイッチ１７を押すと、循環機構モータ２３、燃焼バーナ３、排風ファンモータ１１、繰り出しバルブモータ１０が駆動を開始し、乾燥運転が開始される。
【００２６】
穀物は乾燥室２のバーナ３で生成される熱風に晒され、間欠動作をする繰り出しバルブ９で一定量ずつ下部ラセン５に繰り出される。下部ラセン５で搬送された穀物は昇降機６、上部ラセン７を経て、分散羽根８により貯留室１に供給される。そして、目標水分値に到達するまで循環しながら乾燥運転がなされる。昇降機６の内部は多数のバケットコンベア３１を設け、バケットコンベア３１からこぼれるサンプル穀物が籾麦用水分計１２、又は、豆用水分計１３に入り込み、設定間隔毎（例えば１５分毎）に水分値を測定する。
【００２７】
循環機構モータ２３はインバータ２４により可変速に駆動される。また、繰り出しバルブモータ１０は駆動（ＯＮ）と停止（ＯＦＦ）を交互にする間欠的に駆動するが、ＯＦＦ時間が長いほど、あるいはＯＮ時間が短いほど繰り出される穀物量は減少する。籾・麦・蕎麦の乾燥時には循環機構モータ２３を比較的に速く駆動すると共に、繰り出しバルブモータ１０のＯＦＦ時間を比較的に短くするよう制御部２１により制御されることで時間当たりの循環穀物量を比較的多くする。
【００２８】
大豆の場合には、循環機構モータ２３を比較的遅く駆動すると共に、繰り出しバルブモータ１０のＯＦＦ時間を長くするよう制御部２１により制御されることで、時間当たりの循環穀物量を比較的少なくする。大豆は、籾・麦・蕎麦に比べて表面に傷が付き易いので循環穀物量を比較的少なくしている。
【００２９】
水分計（１２、１３）が目標水分値に到達したことを検出すると、乾燥運転が自動的に停止される。
【００３０】
図１０に基づいて蕎麦の乾燥運転の特徴について説明する。
【００３１】
蕎麦は循環機構モータ２３を比較的に速く駆動すると共に、繰り出しバルブのＯＮ時間が比較的短くして（又はＯＦＦ時間を長くして）繰り出し量を少なくしている。これは、蕎麦は籾や麦に比べ傷つき易いので繰り出し量を少なくする反面、分散羽根９による分散がし難いので循環機構モータ２３を比較的速く駆動することで、分散羽根９の回転を速くして貯留室１全体に蕎麦を拡散させるためである。
【００３２】
次に、本実施の形態の制御装置Ｓの特徴について以下、説明する。
【００３３】
インバータ２４を接続したことを制御部２１が検出すると、穀物種類選択スイッチ１９は籾・麦・蕎麦・大豆の乾燥運転のいずれも選択できる構成としているが、インバータ２４を接続しないで循環機構モータ２３のハーネスを制御装置ＳのコネクタＫに直接接続したことを制御部２１が検出すると、穀物種類選択スイッチ１９は籾・麦・蕎麦を選択可能とするが、大豆については選択を規制する。すなわち、穀物種類選択スイッチ１９を押す毎に籾・麦・蕎麦とＬＥＤランプ２２が変更され、そして次には籾モードに戻る。
【００３４】
これにより、インバータ２４で循環機構モータ２３を低速に落とせない状態で大豆を乾燥することによる大豆の傷付きを防止することができる。また、大豆を必要としないユーザーについては、インバータ２４の無い状態での出荷が可能となり、制御装置Ｓを共用とし安価に構成できる。
【００３５】
次に、インバータ２４が装着されている状態での籾麦用水分計１２と、大豆用水分計１３と乾燥運転の関係について説明する。
【００３６】
籾麦用水分計１２及び豆用水分計１３の双方をコネクタＫに接続したことを制御部２１が検出すると、穀物種類選択スイッチ１９による籾・麦・蕎麦・大豆の乾燥運転のいずれも選択可能とする。
【００３７】
また、籾麦用水分計１２を接続したことを検出すると共に、豆用水分計１３を接続しないことを検出すると、穀物選択スイッチ１９による大豆の乾燥運転の選択を規制する。あるいは、籾麦用水分計１２を接続しないことを検出すると共に、豆用水分計１３を接続したことを検出すると、穀物種類選択スイッチ１９による籾・麦・蕎麦の乾燥運転の選択を規制する。これにより、大豆用水分計１３を装着していない状態で大豆の乾燥運転を防止することができる。また、大豆の乾燥運転を必要としないユーザーには大豆用水分計１３を装着しない状態で出荷することが可能となり、制御装置Ｓを共用でき安価な構成となる。
【００３８】
籾麦用水分計１２と、大豆用水分計１３と乾燥運転の関係の別実施例について説明する。
【００３９】
籾麦用水分計１２を接続したことを検出すると共に、大豆用水分計１３を接続しないことを検出すると、籾・麦・蕎麦は籾麦用水分計１２に基づく乾燥運転を行うと共に、大豆はタイマ制御に基づく乾燥運転を行う。
【００４０】
また、籾麦用水分計１２を接続しないことを検出すると共に、大豆用水分計１３を接続したことを検出すると、籾及び麦はタイマ制御に基づく乾燥運転を行い、大豆は大豆用水分計１３に基づく乾燥運転を行う。そして、籾麦用水分計１２及び大豆用水分計１３の双方を接続しないことを検出すると、籾・麦・蕎麦・大豆のいずれの乾燥運転もタイマ制御による乾燥運転を行う。これにより、水分計（１２、１３）が一時的な故障等で使用できなくても乾燥運転を行うことができる。
【００４１】
タイマ制御は例えば乾燥スイッチ１７を操作すると設定時間（例えば３時間）の乾燥運転を行い停止する構成としてもよいし、数値増減スイッチ３０で任意の乾燥時間を設定できる構成としてもよい。
【００４２】
なお、籾麦用水分計１２、豆用水分計１３、インバータ２４のいずれかが接続されていない場合に異常表示する構成としてもよい。
【００４３】
次に、大豆乾燥作業における水分測値測定制御について説明する。
【００４４】
インバータ２４で穀物循環機構Jの回転数を制御する汎用穀物乾燥機において、大豆乾燥作業の場合には、大豆水分計１３の水分値測定時間中は穀物循環機構Jの回転数を通常の乾燥作業より高くするようにしている。
【００４５】
大豆のエレベータ６からのこぼれ粒を利用して水分値を測定する大豆水分計１３にあっては、水分値測定中は穀物循環機構Jの回転数を上げこぼれ粒を多くすることにより、所定時間内に水分値の測定を終了し乾燥制御を適正化することができる。
【００４６】
また、水分値を測定しない通常の乾燥作業時には穀物循環機構Jの回転数を下げることにより騒音を低くし大豆の損傷を少なくしながら、水分値の測定を迅速化し適正な乾燥作業をすることができる。
【００４７】
次に、他の実施例について説明する。
【００４８】
汎用穀物乾燥機の水分計制御装置において、大豆水分計１３が水分値測定を開始してから穀粒取込時間が予め設定されている時間よりも長いと判断した場合には、穀物循環機構Jの回転数を通常回転数より高くし、大豆水分計１３の水分値測定作業が終了すると、穀物循環機構Jの回転数を低くし通常回転数に復帰するようにしている。
【００４９】
前記構成によると、大豆乾燥作業における大豆水分計１３への大豆の取込量が少ないときに自動的に大豆の取込量を多くし、大豆の水分値を適時に測定することができる。
【符号の説明】
【００５０】
１２    籾麦用水分計
１３    豆用水分計
１４    箱体
１５    張込スイッチ
１６    通風運転スイッチ
１７    乾燥スイッチ
１９    穀物種類選択スイッチ
２０    表示装置        
２１    制御部
２３    循環機構モータ
２４    インバータ
Ｊ    穀物循環機構
Ｋ    コネクタ
【図１】
0006394546.tif 000002
【図２】
0006394546.tif 000003
【図３】
0006394546.tif 000004
【図４】
0006394546.tif 000005
【図５】
0006394546.tif 000006
【図６】
0006394546.tif 000007
【図７】
0006394546.tif 000008
【図８】
0006394546.tif 000009
【図９】
0006394546.tif 000010
【図１０】
0006394546.tif 000011